(57)【要約】【課題】排熱処理が適切に行われるコージェネレーションシステムを提供する。【解決手段】コージェネレーションシステム１０は、電気および熱を生成するための発電ユニット１１０と、発電ユニット１１０によって生成された熱を媒体で貯めるように構成された蓄熱タンク１２０と、温水利用設備として、当該媒体に保持されている熱を使用するように構成された浴槽１４０、床暖房装置１５０、浴室乾燥機１６０と、当該温水利用設備において熱が使用されている箇所の温度を検出するための温度センサと、当該温度センサによって検出された温度が予め定められた温度以下である場合に、蓄熱タンクに貯められている熱を当該温水利用設備に消費させるように構成された制御装置１００とを備える。【選択図】図１
2015209991.tif 000002
【特許請求の範囲】
【請求項１】
コージェネレーションシステムであって、
電気および熱を生成するための発電装置と、
前記発電装置によって生成された熱を媒体で貯めるように構成された貯留手段と、
前記媒体に保持されている熱を使用するように構成された温水利用設備と、
前記温水利用設備において熱が使用されている箇所の温度を検出するための温度センサと、
前記温度センサによって検出された温度が予め定められた温度以下である場合に、前記貯留手段に貯められている熱を前記温水利用設備に消費させるように構成された制御装置とを備える、コージェネレーションシステム。
【請求項２】
前記制御装置は、前記貯留手段に貯められている熱量が予め定められた熱量以上である場合に、前記熱を前記温水利用設備に消費させるようにさらに構成されている、請求項１に記載のコージェネレーションシステム。
【請求項３】
前記コージェネレーションシステムの動作モードは、当該コージェネレーションシステムへの電源電圧が供給されない場合に発電できる自立発電モードを含み、
前記制御装置は、前記動作モードが前記自立発電モードである場合に、前記貯留手段に貯められている熱を前記温水利用設備に消費させるように構成されている、請求項１または２に記載のコージェネレーションシステム。
【請求項４】
複数の前記温水利用設備を備え、
前記制御装置は、各前記温水利用設備のうち、前記温度センサによって検出された温度が低い温水利用設備に、前記貯留手段に貯められている熱を消費させるように構成されている、請求項１〜３のいずれかに記載のコージェネレーションシステム。
【請求項５】
湯水使用機器をさらに備え、
前記貯留手段に貯められている熱量が予め定められた熱量以上である場合に、前記制御装置は、前記貯留手段に貯められている熱量を貯留されている媒体とともに前記湯水使用機器において消費するように構成されている、請求項１に記載のコージェネレーションシステム。
【発明の詳細な説明】
【技術分野】
【０００１】
本開示は、コージェネレーションシステムの制御に関し、より特定的には、自立運転機能を備えるコージェネレーションシステムの制御に関する。
【背景技術】
【０００２】
コージェネレーションシステムの排熱に関し、たとえば、特開２００９−２０４２３９号公報（特許文献１）は、「貯留手段内に蓄熱される熱量が限界又は限界に近い状況の際でも、発電装置を常時駆動させることができ、排出される蓄熱された湯水が浴室外に侵入することがないコージェネレーションシステム」を開示している（［要約］の［課題］）。
【０００３】
特開２０１２−１８９２２８号公報（特許文献２）は、「省エネルギー効果の低減を抑制可能なコージェネレーションシステム」を開示している。具体的には、「燃料電池ユニット及び貯湯ユニットを制御する制御部は、貯湯ユニットの蓄熱量が第１の基準量に達したときに、貯湯ユニットから施設の温水利用設備に温水を供給すると共に、温水よりも低い温度の冷水を貯湯ユニットに供給する」というものである（［要約］参照）。
【０００４】
特開２００６−８４０５６号公報（特許文献３）は、「熱需要優先型コジェネレーション装置において、発電出力を得るために熱需要がない場合にも運転可能にする」ための技術を開示している。具体的には、「熱要求出力部は熱要求を出力するとともに熱需要が大きいときには特別に追い焚き要求を出力する」というものである（［要約］参照）。
【先行技術文献】
【特許文献】
【０００５】
【特許文献１】特開２００９−２０４２３９号公報
【特許文献２】特開２０１２−１８９２２８号公報
【特許文献３】特開２００６−８４０５６号公報
【発明の概要】
【発明が解決しようとする課題】
【０００６】
コージェネレーションシステムにおいて自立発電を用いて電力供給を行う場合において、自立発電時に生じる排熱処理は、貯湯タンク内の熱容量が飽和するまでは貯湯タンクに蓄熱し、飽和すると浴室乾燥機を強制運転するか、貯湯タンク内の温水を捨てるかのいずれかの処理を行うことにより排熱し、自立運転を継続している。そのため、熱が必要な場所で排熱できていない。したがって、排熱を効果的に行う技術が必要とされている。
【０００７】
本開示は、上述のような問題点を解決するためになされたものであって、その目的は、ユーザが意図した排熱処理が実現されるコージェネレーションシステムを提供することである。他の局面の目的は、排熱の有効利用が可能になるコージェネレーションシステムを提供することである。
【課題を解決するための手段】
【０００８】
一実施の形態に従うコージェネレーションシステムは、電気および熱を生成するための発電装置と、媒体を有し、発電装置によって生成された熱を媒体で貯めるように構成された貯留手段と、媒体に保持されている熱を使用するように構成された温水利用設備と、温水利用設備において熱が使用されている箇所の温度を検出するための温度センサと、温度センサによって検出された温度が予め定められた温度以下である場合に、貯留手段に貯められている熱を温水利用設備に消費させるように構成された制御装置とを備える。
【０００９】
好ましくは、制御装置は、貯留手段に貯められている熱量が予め定められた熱量以上である場合に、熱を温水利用設備に消費させるようにさらに構成されている。
【００１０】
好ましくは、コージェネレーションシステムの動作モードは、当該コージェネレーションシステムへの電源電圧が供給されない場合に発電できる自立発電モードを含む。制御装置は、動作モードが自立発電モードである場合に、貯留手段に貯められている熱を温水利用設備に消費させるように構成されている。
【００１１】
好ましくは、コージェネレーションシステムは、複数の温水利用設備を備える。制御装置は、各温水利用設備のうち、温度センサによって検出された温度が低い温水利用設備に、貯留手段に貯められている熱を消費させるように構成されている。
【００１２】
好ましくは、コージェネレーションシステムは、湯水使用機器をさらに備える。貯留手段に貯められている熱量が予め定められた熱量以上である場合に、制御装置は、貯留手段に貯められている熱量を貯留されている媒体とともに湯水使用機器において消費するように構成されている。
【００１３】
この発明の上記および他の目的、特徴、局面および利点は、添付の図面と関連して理解されるこの発明に関する次の詳細な説明から明らかとなるであろう。
【図面の簡単な説明】
【００１４】
【図１】コージェネレーションシステム１０の構成の概要を表わす図である。
【図２】第１の実施の形態にかかるコージェネレーションシステム１０が備える制御装置１００が実行する処理の一部を表わすフローチャートである。
【図３】コージェネレーションシステム２０の概要を表す図である。
【図４】コージェネレーションシステム２０に含まれる制御装置１００が実行する処理の一部を表わすフローチャートである。
【図５】第３の実施の形態に係るコージェネレーションシステム３０の構成の概要を表わす図である。
【図６】コージェネレーションシステム３０に含まれる制御装置１００が実行する処理の一部を表わすフローチャートである。
【図７】コージェネレーションシステムに含まれるモニタ１９０における画面の表示態様を表わす図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
［技術思想］
本実施の形態に係る技術思想は、以下のとおりである。温水循環式の床暖房装置あるいは浴室乾燥機が接続されているコージェネレーションシステムにおいて、床暖房装置が設置されている部屋の室温が予め設定された温度以下である場合には、床暖房運転を行なうことにより排熱処理を実行する。床暖房装置が設置されている部屋の室温が予め定められた温度以上である場合には、床暖房運転を行なわず、浴室乾燥機を強制運転するか、貯湯タンク内の温水を排水するか、いずれかの排熱処理を実行する。
【００１７】
なお、別の局面において、床暖房装置が設置されている部屋の温度が検出できない場合であっても、外気温サーミスタなどによって室内温度を予測し、床暖房運転を行なうか否かを判断する構成が用いられてもよい。また、複数の床暖房装置が用いられてもよく、この場合、ユーザが指定した優先順位により排熱先を決定してもよい。あるいは、一例として、検出された室温が低い部分に対応する床暖房装置から排熱動作を行なってもよい。このような順序で排熱するとより多くの熱が使用されるため、排熱効率が高まる。
【００１８】
また、別の局面において、貯湯タンク内の温水を捨てる態様として、洗濯注水ユニットがコージェネレーションシステムに接続されている場合には、温水は選択注水ユニットを介して洗濯機に供給されてもよい。あるいは、浴槽洗浄ユニットがコージェネレーションシステムに接続されている場合には、温水は浴槽洗浄に用いられてもよい。
【００１９】
＜第１の実施の形態＞
＜コージェネレーションシステムの概略構成＞
図１を参照して、本実施の形態に係るコージェネレーションシステム１０の構成について説明する。図１は、コージェネレーションシステム１０の構成の概要を表わす図である。コージェネレーションシステム１０は、制御装置１００と、発電ユニット１１０と、蓄熱タンク１２０と、補助熱源１３０と、浴槽１４０と、床暖房装置１５０と、浴室乾燥機１６０と、排熱熱交換器１７１と、暖房熱交換器１７２と、風呂熱交換器１７３と、開閉弁１８１，１８２，１８３と、モニタ１９０とを備える。
【００２０】
制御装置１００は、コージェネレーションシステム１０の動作を制御する。たとえば、ある局面において、制御装置１００は、発電ユニット１１０による作動を制御する。
【００２１】
補助熱源１３０は補助熱源１３０に入水される湯水の温度と蓄熱タンク１２０内の熱量をもとに燃焼運転する。例えば、貯湯タンク内の湯水とミキシングしても設定温度まで到達しないような熱量しか蓄熱タンク１２０内に貯留できていないようであれば補助熱源１３０は燃焼運転をする。
【００２２】
また、浴槽１４０は自動排水栓（図示せず）を有する。自動排水栓は制御装置１００と通信し、制御装置１００（またはリモコン）からの指示に従い栓を開閉する。
【００２３】
床暖房装置１５０は、図示しない床暖房リモコン（リモートコントローラの略）を備えている。床暖房リモコンは制御装置１００と通信し、床暖房装置１５０は床暖房リモコンからの指示に従い暖房回路の図示しない熱動（開閉）弁を開閉する。
【００２４】
浴室乾燥機１６０は、制御装置１００と通信し、浴室に関連して設けられた暖房回路は、浴室乾燥機１６０からの指示に従い当該暖房回路の図示しない熱動（開閉）弁が開閉する。
【００２５】
制御装置１００は、開閉弁１８１，１８２，１８３の各々の開閉を制御する。制御装置１００は、たとえば、マイコンによって実現される。制御装置１００による動作の態様は、モニタ１９０その他制御装置１００に対して与えられる命令に基づいて実現される。
【００２６】
モニタ１９０は、コージェネレーションシステム１０の動作状況、設定内容等を表示する。モニタ１９０は、ある局面において専用のモニタとして家屋の壁面に設置される。別の局面においては、モニタ１９０は、タブレット端末その他の情報通信端末が備えるモニタによって実現され得る。
【００２７】
発電ユニット１１０は、たとえば、ガスエンジン、燃料電池等を含む。発電ユニット１１０から発生する熱を回収することにより暖められた冷却水は、排熱熱交換器１７１に送られる。
【００２８】
蓄熱タンク１２０は、湯水を保持する。蓄熱タンク１２０は、開閉弁１８１の開閉に応じて湯水を排熱熱交換器１７１に送り、開閉弁１８２の開閉状況に応じて、補助熱源１３０から送られる湯水の供給を受ける。蓄熱タンク１２０内にはサーミスタを有し、貯留されている湯水の温度を検出し、制御装置１００は、当該検出温度を入力する。
【００２９】
排熱熱交換器１７１は、たとえば、液−液熱交換器を含み、発電ユニット１１０から送られる温水の熱により、蓄熱タンク１２０から送られる湯水を加熱する。
【００３０】
補助熱源１３０は、制御装置１００の制御に基づいて、排熱熱交換器１７１から送られる湯水を加熱する。補助熱源１３０から送られる湯水は、開閉弁１８２の開閉状況に応じて、浴槽１４０または風呂熱交換器１７３に送られる。
【００３１】
風呂熱交換器１７３は、たとえば、液‐液熱交換器を含み、開閉弁１８２から送られる湯水の熱を用いて、浴槽１４０から送られる湯水を加熱する。風呂熱交換器１７３によって加熱された湯水は、暖房熱交換器１７２に送られる。
【００３２】
暖房熱交換器１７２は、たとえば、液‐液熱交換器を含み、床暖房装置１５０または浴室乾燥機１６０に供給される湯水を加熱する。加熱された湯水は、制御装置１００の制御に応じて、床暖房装置１５０または浴室乾燥機１６０に供給される。暖房熱交換器１７２から送られる湯水は、排熱熱交換器１７１に送られる。
【００３３】
開閉弁１８１は、制御装置１００の制御に基づいて、排熱熱交換器１７１と、暖房熱交換器１７２と、蓄熱タンク１２０との間で湯水の流れる方向および流量を切り替える。開閉弁１８２は、湯水の流れる方向および流量を、給湯、浴槽１４０または風呂熱交換器１７３の間で切り換える。開閉弁１８３は、湯水の流れる方向および流量を、給湯と浴槽１４０との間で切り換える。
【００３４】
［制御構造］
図２を参照して、本実施の形態に係るコージェネレーションシステム１０の制御構造について説明する。図２は、第１の実施の形態にかかるコージェネレーションシステム１０が備える制御装置１００が実行する処理の一部を表わすフローチャートである。
【００３５】
ステップＳ２１０にて、制御装置１００は、蓄熱タンク１２０内の熱量が閾値以上であるか否かを判断する（ステップＳ２０８）。閾値以上ではないと判断すると（ステップＳ２０８でＮＯ）、処理を終了する。一方、閾値以上であると判断すると（ステップＳ２０８でＹＥＳ）制御をステップＳ２１０に切り換える。ステップＳ２１０にて、排熱先が固定されているか否かを判断する。この判断は、たとえば制御装置１００のメモリ（図示しない）に保持されている値に基づいて行なわれる。制御装置１００は、排熱先が固定されていると判断すると（ステップＳ２１０にてＹＥＳ）、制御をステップＳ２１２に切り換える。そうでない場合には（ステップＳ２１０にてＮＯ）、制御装置１００は、制御をステップＳ２３０に切り換える。
【００３６】
ステップＳ２１２にて、制御装置１００は、後述する浴室乾燥機経由処理（ステップＳ２７０）または排水栓経由処理（ステップＳ２９０）を実行する。
【００３７】
ステップＳ２３０にて、制御装置１００は、低温端末優先処理を実行するか否かを判断する。制御装置１００は、低温端末優先処理を実行すると判断すると（ステップＳ２３０にてＹＥＳ）、制御をステップＳ２４０に切り換える。そうでない場合には（ステップＳ２３０にてＮＯ）、制御装置１００は、制御をステップＳ２６０に切り換える。
【００３８】
ステップＳ２４０にて、制御装置１００は、端末（たとえば、床暖房機能を備える部屋）の温度が動作許可温度以下であるか否かを判断する。制御装置１００は、当該端末が動作許可温度以下であると判断すると（ステップＳ２４０にてＹＥＳ）、制御をステップＳ２４２に切り換える。そうでない場合には（ステップＳ２４０にてＮＯ）、制御装置１００は、制御をステップＳ２７０に切り換える。
【００３９】
ステップ２４２にて、制御装置１００は、低温端末経由処理を実行する。たとえば、制御装置１００は、床暖房装置１５０を作動させていわゆる床暖房機能を始動する。
【００４０】
ステップＳ２５０にて、制御装置１００は、低温端末の動作を継続可能であるか否かを判断する。この判断は、たとえば、床暖房機能を備える部屋に設けられた温度センサ（図示しない）から出力される温度に基づいて行なわれる。当該温度が設定温度以下である場合には、制御装置１００は、低温端末の動作を継続可能であると判断する。制御装置１００は、当該端末の動作を継続可能と判断すると（ステップＳ２５０にてＹＥＳ）、制御をステップＳ２４２に戻す。そうでない場合には（ステップＳ２５０にてＮＯ）、制御装置１００は、制御をステップＳ２７０に切り換える。
【００４１】
ステップＳ２６０にて、制御装置１００は、浴室乾燥機優先処理を実行するか否かを判断する。この判断は、制御装置１００の内蔵メモリ（図示しない）に保持されているデータに基づいて行なわれる。たとえば、一定の時間帯に浴室乾燥機を作動させる旨のタイマー設定が行われている場合には、制御装置１００は、浴室乾燥機優先処理を実行すると判断する。制御装置１００は、浴室乾燥機優先処理を実行すると判断すると（ステップＳ２６０にてＹＥＳ）、制御をステップＳ２７０に切り換える。そうでない場合には（ステップＳ２６０にてＮＯ）、制御装置１００は、制御をステップＳ２９０に切り換える。
【００４２】
ステップＳ２７０にて、制御装置１００は、浴室乾燥機経由処理を実行する。たとえば、一定時刻になると浴室乾燥機の運転が開始されるように設定されている場合において、あらかじめ設定された時刻が到来すると、浴室乾燥機は作動する。
【００４３】
ステップＳ２８０にて、制御装置１００は、浴室乾燥機の動作を継続することが可能か否かを判断する。制御装置１００は、浴室乾燥機の動作を継続することが可能であると判断すると（ステップＳ２８０にてＹＥＳ）、制御をステップＳ２７０に戻す。そうでない場合には（ステップＳ２８０にてＮＯ）、制御装置１００は、制御をステップＳ２９０に切り換える。
【００４４】
ステップＳ２９０にて、制御装置１００は、排水栓経由処理を実行する。たとえば、浴室の温度が上昇して予め規定された温度以上になった場合、制御装置１００は、排水栓経由での処理を実行して排熱する。
【００４５】
以上のようにして、本実施の形態に係るコージェネレーションシステム１０によれば、ユーザは排熱先を選択できるため、ユーザの意図に沿った排熱処理経路を確保しつつ、自立運転を行なうことができる。
【００４６】
［第１の実施の形態の変形例］
なお、本実施の形態にかかる技術思想は、上述のものに限られず、たとえば、給湯機に取り付けられたサーミスタの検知温度を用いても実現できる。すなわち、本変形例にかかるコージェネレーションシステムは、外気温を検出するためのＦ点サーミスタ（図示せず）の検知温度によって排熱先を、浴槽１４０と床暖房装置１５０と浴室乾燥機１６０との間で切り換えることができる。
【００４７】
たとえば、ある局面において、制御装置１００は、Ｆ点サーミスタの検知温度が５〜１５度であるか否かを判断する。検知温度が５〜１５度である場合には、制御装置１００は、ユーザが床暖房運転を許可しているか否かを判断する。検知温度が５〜１５度でない場合には、制御装置は、浴室乾燥機運転を実行する。
【００４８】
ユーザが床暖房運転を許可している場合には、制御装置１００は、床暖房運転を実行する。ユーザが床暖房運転を許可していない場合には、制御装置１００は、床暖房をユーザに促す。たとえば、モニタ１９０は、床暖房を促すようなメッセージを表示する。あるいは、制御装置１００は、スピーカ（図示しない）を介して、床暖房を促すようなメッセージを音声として出力する。制御装置１００は、その後、予め定められた時間（たとえば、１０分間）待機する。この時間は、ユーザが床暖房をＯＮにするまでの待機時間として設定される。この時間は変更可能である。
【００４９】
制御装置１００は、床暖房が運転中であるか否かを判断する。この判断は、たとえば、暖房ポンプが動作しているか否かに基づいて行なわれる。床暖房が運転中である場合には、床暖房運転を許可に設定する。床暖房が運転中でない場合には、制御装置１００は、浴室乾燥機の運転を行なう。
【００５０】
以上のようにして、本変形例にかかるコージェネレーションシステムによると、制御装置１００は、給湯機で利用されるＦ点サーミスタの検知温度から室内温度が適切であるか否かを判断し、必要に応じて暖房運転を実行する。これにより、ユーザのニーズを加味した運転が実現され得る。また、これらの排熱処理によって自立運転時の発電も継続可能である。
【００５１】
なお、室内温度の検出は、Ｆ点サーミスタを用いたものに限られず、たとえば、コージェネレーションシステムに入水される水の温度を検出する（図示しない）入水サーミスタ検知温度が用いられてもよい。
【００５２】
また、検出温度の基準値として、５度〜１５度が用いられているが、検出温度はこれらに限られない。なお、５度は、たとえば、凍結予防ヒーターがＯＮされる閾値がＦ点サーミスタの検出温度が５度であることに基づく。１５度は、都市部（たとえば、東京、大阪、兵庫）の１１月〜４月の平均気温が１５度以下であることに基づく。また、人が快適に感じる室内温度は、外気温に依存し、外気温が２０度以下の場合には、人は寒さを体感する傾向があるとされている（ＡＳＨＲＡＥ  Transactions  １９９８：アメリカ暖房冷凍空調学会）。
【００５３】
＜第２の実施の形態＞
図３を参照して、本発明の第２の実施の形態に係るコージェネレーションシステム２０について説明する。図３は、コージェネレーションシステム２０の概要を表す図である。本実施の形態に係るコージェネレーションシステム２０は、浴槽の自動掃除機能３１０（以下、ＡＢＵ３１０ともいう。）を備える点で第１の実施の形態に係るコージェネレーションシステム１０と異なる。より具体的には、開閉弁１８３は、ＡＢＵ３１０または浴槽１４０への湯水の供給を切り替える。
【００５４】
［制御構造］
図４を参照して、本実施の形態に係るコージェネレーションシステム２０の制御構造について説明する。図４は、コージェネレーションシステム２０に含まれる制御装置１００が実行する処理の一部を表わすフローチャートである。
【００５５】
ステップＳ４１０にて、制御装置１００は、Ｆ点サーミスタが検出する外気温度が低いか否かを判断する。たとえば、床暖房が必要とされるような予め定めた温度（上述の５〜１５度）との比較から判断する。制御装置１００は、外気温度が予め定めた温度以下であり、低いと判断すると（ステップＳ４１０にてＹＥＳ）、制御をステップＳ４２０に切り換える。そうでない場合には（ステップＳ４１０にてＮＯ）、制御装置１００は、制御をステップＳ４３０に切り換える。なお、ステップＳ４１０では、外気温度を基準に床暖房の必要を判断したが、判断基準はこれに限定されない。たとえば、カレンダー情報（季節等を特定するための情報）を基準に判断してもよい。
【００５６】
ステップＳ４２０にて、制御装置１００は、コージェネレーションシステム２０が設けられている家屋の室内温度が予め設定された温度（たとえば、摂氏２０度）以下であるか否かを判断する。制御装置１００は、室内温度が当該設定された温度以下であると判断すると（ステップＳ４２０にてＹＥＳ）、制御をステップＳ４２２に切り換える。そうでない場合には（ステップＳ４２０にてＮＯ）、制御装置１００は、制御をステップＳ４７０に切り換える。
【００５７】
ステップＳ４３０にて、制御装置１００は、コージェネレーションシステム２０のユーザがＡＢＵ運転（浴槽の自動掃除）を許可しているか否かを判断する。この判断は、たとえば制御装置１００に対して与えられている設定値に基づいて行なわれる。制御装置１００は、ユーザがＡＢＵ運転を許可していると判断すると（ステップＳ４３０にてＹＥＳ）、制御をステップＳ４３２に切り換える。そうでない場合には（ステップＳ４３０にてＮＯ）、制御装置１００は、制御をステップＳ４４０に切り換える。
【００５８】
ステップＳ４３２にて、制御装置１００は、ＡＢＵ３１０に命令を送信して、ＡＢＵの運転を開始する。
【００５９】
ステップＳ４４０にて、制御装置１００は、ユーザが風呂自動運転を許可しているか否かを判断する。この判断は、制御装置１００において規定されている設定値に基づいて行なわれる。制御装置１００は、ユーザが風呂自動運転を許可していると判断すると（ステップＳ４４０にてＹＥＳ）、制御をステップＳ４５０に切り換える。そうでない場合には（ステップＳ４４０にてＮＯ）、制御装置１００は、制御をステップＳ４６０に切り換える。
【００６０】
ステップＳ４５０にて、制御装置１００は、風呂自動運転を実行する。
ステップＳ４６０にて、制御装置１００は、ユーザが浴室乾燥機運転を許可しているか否かを判断する。制御装置１００は、ユーザが浴室乾燥機１６０の運転を許可していると判断すると（ステップＳ４６０にてＹＥＳ）、制御をステップＳ４７０に切り換える。そうでない場合には（ステップＳ４６０にてＮＯ）、制御装置１００は、制御をステップＳ４８０に切り換える。
【００６１】
ステップＳ４７０にて、制御装置１００は、浴室乾燥機１６０と通信し、浴室乾燥機１６０は浴室に関連して設けられた暖房回路の熱動（開閉）弁を駆動制御する運転を予め定められた時間（たとえば、３０分間）実行する。風呂自動運転によって浴室内の湿度が上昇しても、浴室乾燥機１６０が作動することにより、湿度を下げることができる。なお、浴室乾燥機１６０の運転時間は、ユーザによって設定可能でありまた変更可能である。
【００６２】
ステップＳ４８０にて、制御装置１００は、浴槽１４０の自動排水栓と通信して、自動排水栓を開くように制御し、浴槽１４０に保持されている水の排水を実行させる。
【００６３】
以上のようにして、本実施の形態によれば、ＡＢＵ３１０を介して排熱動作が実行される。浴槽の自動掃除機能は日常生活において利便性が高いので、ＡＢＵ３１０を用いることにより、ユーザのニーズに沿う排熱利用が行なわれ得る。
【００６４】
＜第３の実施の形態＞
図５を参照して、本発明の第３の実施の形態について説明する。図５は、第３の実施の形態に係るコージェネレーションシステム３０の構成の概要を表わす図である。コージェネレーションシステム３０は、図１に示されるコージェネレーションシステム１０の構成に加えて、洗濯機注水ユニット５１０（以下、ＲＣＳ５１０という。）と、洗濯槽５２０とをさらに備える。ＲＣＳ５１０は、制御装置１００からの命令に基づいて、洗濯機への湯水の供給を調整する。たとえば、ある局面において、ＲＣＳ５１０は、開閉弁１８２，１８３を経由して供給される湯水を洗濯機の洗濯槽５２０に供給する。別の局面において、ＲＣＳ５１０は、開閉弁（図示しない）を切り替えて、浴槽１４０の湯水を洗濯機に供給する。
【００６５】
図６を参照して、本実施の形態に係るコージェネレーションシステム３０の制御構造について説明する。図６は、コージェネレーションシステム３０に含まれる制御装置１００が実行する処理の一部を表わすフローチャートである。なお、前述の処理と同じ処理には同じステップ番号を付してある。したがって、それらの説明は繰り返さない。
【００６６】
ステップＳ４１０にて、制御装置１００は、Ｆ点サーミスタが検出する外気温度が低いか否かを判断する。低いと判断すると（ステップＳ４１０にてＹＥＳ）、制御をステップＳ４２０に切り換える。そうでない場合には（ステップＳ４１０にてＮＯ）、制御装置１００は、制御をステップＳ６１０に切り換える。
【００６７】
ステップＳ６１０にて、制御装置１００は、コージェネレーションシステム３０のユーザが洗濯機にお湯を供給することを許可しているか否かを判断する。この判断は、制御装置１００において規定されている設定内容に基づいて行なわれる。設定内容は、ユーザによって予め入力されている。制御装置１００は、洗濯機へのお湯を供給することが許可されていると判断すると（ステップＳ６１０にてＹＥＳ）、制御をステップＳ６２０に切り換える。そうでない場合には（ステップＳ６１０にてＮＯ）、制御装置１００は、制御をステップＳ４４０に切り換える。
【００６８】
ステップＳ６２０にて、制御装置１００は、開閉弁１８２，１８３を経由して供給される湯水が洗濯機の洗濯槽５２０に供給されるように、ＲＣＳ５１０を制御する。
【００６９】
以上のようにして、本実施の形態にかかるコージェネレーションシステム３０によると、排熱経路として洗濯槽５２０が用いられる。これにより、ユーザーのニーズに沿った排熱利用が実現され得る。
【００７０】
なお、湯水の供給先は、洗濯機に限られず、たとえば、食洗機であってもよい。
図７を参照して、本実施の形態に係るコージェネレーションシステムのモニタ１９０について説明する。図７は、コージェネレーションシステムに含まれるモニタ１９０における画面の表示態様を表わす図である。モニタ１９０は、リモコン、壁面に設けられる操作パネル、あるいはタブレット端末その他の情報表示端末に設けられている。
【００７１】
ある局面において、画面Ａ（図７（Ａ））に示されるように、モニタ１９０は、ユーザ設定のための画面を表示する。ユーザが、項目１（排熱先の設定）を選択すると、モニタ１９０は、画面Ａから画面Ｂ（図７（Ｂ））に表示を切り換える。画面Ｂに示されるように、モニタ１９０は、排熱先の設定項目として、たとえば、浴槽、浴室乾燥機、床暖房（居間）、床暖房（応接間）、床暖房（座敷）、ＡＢＵ、洗濯槽などを表示する。また、別の局面において、さらにモニタ１９０は、各排熱先について優先順位を設定するための項目を表示する。モニタ１９０の使用者は、画面Ｂを参照しながら、排熱先を選択して設定するとともに、複数の排熱先を選択した場合には、いずれを優先させるべきかを優先順位として規定することができる。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１０，２０，３０  コージェネレーションシステム、１００  制御装置、１１０  発電ユニット、１２０  蓄熱タンク、１３０  補助熱源、１４０  浴槽、１５０  床暖房装置、１６０  浴室乾燥機、１７１  排熱熱交換器、１７２  暖房熱交換器、１７３  風呂熱交換器、１８１，１８２，１８３  開閉弁、１９０  モニタ、３１０  ＡＢＵ、５１０  ＲＣＳ、５２０  洗濯槽。
【図１】
2015209991.tif 000003
【図２】
2015209991.tif 000004
【図３】
2015209991.tif 000005
【図４】
2015209991.tif 000006
【図５】
2015209991.tif 000007
【図６】
2015209991.tif 000008
【図７】
2015209991.tif 000009